(57)【特許請求の範囲】
【請求項１】
設備機器本体に設けられた下箱の配管敷設位置の底板に開口部を設け、該開口部の上に床面に対してフレキシブル配管により形成された給水給湯配管の最小曲げ半径より高い位置に収納天板を配置して前記開口部に跨って配管収納部を形成し、前記収納天板に前記給水給湯配管を固定するための貫通孔が設けられた設備機器を設置した建物ユニットにおいて、
前記貫通孔の直上で前記貫通孔を貫通して配管される前記給水給湯配管に接続するためのアダプターが固定され、該アダプターの一端には前記設備機器本体に接続された配管が建物ユニットの組立工場にて接続されており、前記給水給湯配管は共に建築現場にて前記設備機器の前記下箱から前記床面に転がし配管により敷設されることを特徴とする建物ユニット。
【発明の詳細な説明】
【０００１】
【発明の属する技術分野】
本発明はユニット建物において好適に用いられるキッチン流し台、洗面台等の設備機器及び該設備機器を設置した建物ユニット並びにユニット建物の製造方法に関する。
【０００２】
【従来の技術】
一棟の建物を略箱形に形成された建物ユニットに分けて工場生産し、これを建築現場に輸送し、建築現場において上下左右に隣接配置して施工・組み立てする方式のユニット建物は品質管理の良さや施工現場での施工工数が大幅に削減でき、短期間での施工が行える建物として広く普及している。
【０００３】
このようなユニット建物では、キッチン流し台、洗面台等の設備機器が設置された建物ユニットが建築現場へ出荷され、建築現場において設備機器回りの給水、給湯配管などの敷設が行われている。
【０００４】
しかしながら、設備機器回りの配管を建築現場で行なう場合には施工現場での施工工数が増大するに加え、床や壁などが敷設されているので、配管施工性が悪いという問題があった。
【０００５】
そこで、例えば、特開２０００−１４４８２７号公報によれば、設備機器の本体に設けた器具に接続した配管を床下等の本体の外側にまで延在させたプレ配管状態で出荷可能とした設備機器、該設備機器を設置した建物ユニット及びその製造方法が提案されている。
【０００６】
これによれば、設備機器回りの配管の大半が建物ユニットの工場生産段階で行えるので、ユニット建物の生産性が向上されている。
【０００７】
【発明が解決しようとする課題】
しかしながら、設備機器が配置された建物ユニットを上階として使用する場合には、床下に抜けて配管をするのが困難であり、配管を床面に転がし配管するのがよい。ここで、設備機器からの配管をユニット建物の床面に沿って転がし配管を敷設する場合には、設備機器の下箱底板と床面との間の間隔が狭いため、架橋ポリエチレン管の最小曲げＲの確保が困難であり、エルボ（継手）を介して接続を行う必要が生じる。
【０００８】
しかしながら、エルボを介して接続すると、このエルボの前後において可撓性配管とエルボとの接続が必要なため、これらの接続に要する施工工数の増大に加えて、これらの接続箇所からの水漏れに対する信頼性が低下するという問題が想定される。
【０００９】
そこで、この発明は、設備機器からの配管を床面に転がし敷設する場合においても最小曲げを確保できる設備機器及び該設備機器を設置した建物ユニット並びにユニット建物の製造方法を提供することを目的とする。
【００１０】
【課題を解決するための手段】
この目的を達成するため、請求項１記載の発明は、設備機器本体に設けられた下箱の配管敷設位置の底板に開口部を設け、該開口部の上に床面に対してフレキシブル配管により形成された給水給湯配管の最小曲げ半径より高い位置に収納天板を配置して前記開口部に跨って配管収納部を形成し、前記収納天板に前記給水給湯配管を固定するための貫通孔が設けられた設備機器を設置した建物ユニットにおいて、
前記貫通孔の直上で前記貫通孔を貫通して配管される前記給水給湯配管に接続するためのアダプターが固定され、該アダプターの一端には前記設備機器本体に接続された配管が建物ユニットの組立工場にて接続されており、前記給水給湯配管は共に建築現場にて前記設備機器の前記下箱から前記床面に転がし配管により敷設されていることを特徴とする建物ユニットである。
【００１１】
このように構成すれば、配管収納部では収納天板の床面からの高さがフレキシブル配管の最小曲げ半径より高くなるので、設備機器本体からの配管を配管収納部内で床面に転がし敷設する場合においても最小曲げ半径を確保できる。
また、設備機器本体の配管の一部（設備機器本体からアダプターまで）が建物ユニットの組立工場にて施工されるので、建築現場での施工工数の低減が行える。
【００１８】
また、フレキシブル配管に接続するためのアダプターが、配管収納部の直上に配置固定されているので、配管収納部へのフレキシブル配管による転がし配管の敷設が容易に行える。
【００２２】
【発明の実施の形態】
以下に本発明の実施の形態について図面に基づき説明する。
【００２３】
まず、図１は、配管敷設後のユニット建物Ｔの部分断面図であり、不図示の下階建物ユニットの上に、この発明の実施の形態に係る建物ユニットＵが載置されて接合されている。この建物ユニットＵは、工場にて組み立てられたものであり、不図示の四隅に設けられた柱とその柱を横架する天井梁と床梁などの梁がジョイントピースなどにより接合された略箱形の骨組構造体を備えている。床梁６に横架された根太７の上に横桟７ａなどを介して床面４が形成されている。
【００２４】
この建物ユニットＵには、シャワー水洗等の水栓１を備えた洗面台、キッチン流し台などの設備機器２が配されている。水栓１へ給水給湯するための給水給湯配管３は、架橋ポリエチレンなどのフレキシブル配管により形成され、この給水給湯配管３は設備機器２の下箱１０から床面４を転がし配管により敷設され、建物の外壁５に沿って立ち上げられた配管収納スペースＰＳに収納され、不図示の給湯給水設備に接続されている。
【００２５】
この下箱１０の詳細は図３に示されている。この図３において下箱１０は主要部品の組立分解図により説明されている。ここで符号１１，１２は組立用のＬ金具２０…が固定された側板、符号１３は側板１１，１２と平行に配置されて適宜に位置を仕切る中仕切板、符号１４は側板１１，１２間に横架された底板である。また、符号１５、１６はそれぞれ中仕切固定金具２１が固定された幕板、桟木であり、符号１７は桟木、符号１８は背板、符号２２は扉取付用の丁番台座、符号２３、２４は収納部取付用のスライドレール、符号２５は中仕切板１３及び側板１１に相対して固定された収納蓋受木桟、符号２６はフレキシブル配管固定用の貫通孔２６ａ…が設けられた収納天板、符号２７は収納蓋を示している。
【００２６】
ここで、底板１４の図面右奥には切欠部２９が形成されている。また、側板１１の後方下部には切欠部１１ａが形成されている。
【００２７】
このような下箱１０は、例えば次の手順により組み立てられる。側板１１に丁番台座２２及びＬ金具２０を木ねじなどにより固定し、幕板受木桟１９を木ねじにて固定する。側板１２にＬ字金具２０を木ねじで固定し、側板１２，中仕切板１３にスライドレール２３，２４を固定する。ついで、中仕切板３に幕板受木桟１９を木ねじで固定し、幕板１５及び桟木１６に中仕切固定金具２１を木ねじで固定する。
【００２８】
底板１４，幕板１５，１６は側板１１，１２に、また、中仕切板１３は底板１４にダボ２８…にてダボ組みにより、さらに、桟木１７は、側板１２と中仕切板１３に、収納天板２６は中仕切板１３と側板１１に同様にダボ組される。
【００２９】
収納蓋受木桟２５の前面より収納蓋２７をビス止めすることにより、図２に示すように、収納蓋２７の背面に配管収納部３０が形成され、この配管収納部３０は底板１４の一部が床面４に向けて開口されているので、床面４から収納天板２６の下面までの高さｈが、床面４から底板１４までの高さｈ４に比べて高く形成される。また、この配管収納部３０は図１に示すように、側板１１の下方の切欠部１１ａから架橋ポリエチレンなどのフレキシブル配管としての給水給湯配管３が転がし配管可能とされている。
【００３０】
ここで、工場出荷時の建物ユニットＵでは転がし配管は敷設されていない。図４及び図５に示すように、工場出荷時の建物ユニットＵでは、貫通孔２６ａの直上の背板１８に配管接続用のアダプター３１が固定部材３２により固定されている。このアダプター３１は、例えば、図６に示すような弁（バルブ）付きであり、一端に水栓１のホース１ａに接続されるジョイント部３１ａと他端には給水給湯配管３に接続されるジョイント部３１ｂを備え、中央にはバルブを開閉するコック３１ｃを備えている。また、符号３２は、このアダプター３１を保持して背面の背板に木ねじ等により固定する固定部材であり、この固定部材３２によりアダプター３１は貫通孔２６ａの直上に位置した状態で固定される。また、ジョイント部３１ａにはホース１ａが接続される。
【００３１】
この状態で工場から出荷された建物ユニットＵは他の建物ユニットと接合されてユニット建物Ｔとされた後、設備機器２への転がし配管が行われる。この転がし配管の手順は特には限定されないが、例えば次の手順により行われる。
【００３２】
まず、下箱１０の収納蓋２７を開放して外壁５を貫通して敷設された給水給湯配管３の一端を配管収納部３０で立ち上げる。ついで、この給水給湯配管３の先端を貫通孔２６ａを貫通させ、適宜の位置でその周囲を貫通部２６ａの周縁に固定する。
【００３３】
この貫通孔２６ａへの固定は、例えば、図７に示すような貫通ホルダー３３を用いる。この貫通ホルダー３３は、給水給湯配管３を貫通させて配管を保持する貫通孔３３ａと収納天板２６へ固定するためのフランジ部３３ｂを備えている。これにより、貫通孔２６ａを挿通させた給水給湯配管３の先端から貫通孔３３ａを貫通させつつ貫通ホルダー３３を収納天板２６に固定し、先端をジョイント部３１ｂに接続する。
【００３４】
これにより、収納天板２６と床面４との高さｈが十分に高いので、収納天板２６の下に形成された配管収納部３０内で切欠部１１ａから転がし配管された給水給湯配管３をホルダー３３により収納天板２６に固定してジョイント部３１ｂに接続しても給水給湯配管３の最小曲げを確保することができる。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３６】
例えば、以上の発明の実施の形態では、本発明の実施の形態に係る建物ユニットＵは上階に配置されていたが、１階などの下階に配置されていてもよい。給水給湯配管３は下階の場合でも、本発明の実施の形態と同様に床面を転がし配管させることにより、床下を利用せずに配管を行うことができる。
【００３７】
【発明の効果】
以上説明したように、請求項１記載の発明によれば、配管収納部では収納天板の床面からの高さがフレキシブル配管の最小曲げ半径より高くなるので、設備機器本体からの配管を配管収納部内で床面に転がし敷設する場合においても最小曲げを確保できる。
また、設備機器を設置した建物ユニットにおいて、前記貫通孔の直上で前記貫通孔を貫通して配管されるフレキシブル配管に接続するためのアダプターが固定され、該アダプターの一端には前記設備機器本体に接続した配管が建物ユニットの組立工場にて接続されていることにより、設備機器本体の配管の一部（設備機器本体からアダプターまで）が建物ユニットの組立工場にて施工されるので、建築現場での施工工数の低減が行える。
【図面の簡単な説明】
【図１】本発明の実施の形態に係るユニット建物における転がし配管の状況を説明する部分断面図である。
【図２】図１のＸ−Ｘ縦断面図である。
【図３】本発明の実施の形態に係る下箱の構造を説明するための組み立て斜視図である。
【図４】本発明の実施の形態に係る建物ユニットを説明する部分断面図である。
【図５】図４のＹ−Ｙ縦断面図である。
【図６】本発明の実施の形態の一例にて用いられるアダプターの組み付け状況を説明する斜視図である。
【図７】本発明の実施の形態の一例にて用いられるホルダーを説明する斜視図である。
【符号の説明】
１：水栓
１ａ：ホース
２：設備機器（設備機器本体）
３：給水給湯配管（フレキシブル配管）
４：床面
５：外壁
６：床梁
７：根太
７ａ：横桟
８：間仕切り
１１：側板
１２：側板
１３：中仕切板
１４：底板
１５：幕板
１６：桟木
１７：桟木
１８：背板
１９：幕板受木桟
２０：Ｌ金具
２１：中仕切固定金具
２２：丁番台座
２３：スライドレール
２４：スライドレール
２５：収納蓋受木桟
２６：収納天板
２６ａ：貫通孔
２７：収納蓋
２８：ダボ
２９：切欠部
３０：配管収納部
３１：アダプター
３１ａ：ジョイント部
３１ｂ：ジョイント部
３１ｃ：コック
３２：固定部材
Ｔ：ユニット建物
Ｕ：建物ユニット
ＰＳ：配管収納スペース
【図１】
0004160744.tif 000002
【図２】
0004160744.tif 000003
【図３】
0004160744.tif 000004
【図４】
0004160744.tif 000005
【図５】
0004160744.tif 000006
【図６】
0004160744.tif 000007
【図７】
0004160744.tif 000008